(57)【要約】【課題】画像形成装置自体に設定された所定の出力動作の内容を事前に確認する。【解決手段】プリントジョブに基づいて記録媒体に画像を形成して出力する画像形成装置であって、当該画像形成装置による出力動作の実行を制御する制御部を備える。そして、制御部は、プリントジョブに対応する画像出力動作の設定とは別に画像形成装置に設定された所定の出力動作の設定内容及びプリントジョブに基づいて、当該プリントジョブに対応する画像出力動作の内容及び画像形成装置に設定された所定の出力動作の内容の確認用の出力内容確認情報を報知部から報知させる。【選択図】図１１
2011232662.tif 000002
【特許請求の範囲】
【請求項１】
プリントジョブに基づいて記録媒体に画像を形成して出力する画像形成装置であって、
当該画像形成装置による出力動作の実行を制御する制御部を備え、
前記制御部は、
前記プリントジョブに対応する画像出力動作の設定とは別に前記画像形成装置に設定された所定の出力動作の設定内容及び前記プリントジョブに基づいて、当該プリントジョブに対応する画像出力動作の内容及び前記画像形成装置に設定された所定の出力動作の内容の確認用の出力内容確認情報を、報知部から報知させることを特徴とする画像形成装置。
【請求項２】
前記制御部は、
ユーザによる操作部の所定操作に基づいて入力された情報生成開始指示に基づいて、前記プリントジョブに対応する画像出力動作及び前記画像形成装置に設定された所定の出力動作に係る出力予定内容を所定の出力単位毎に出力順に並べた情報を前記出力内容確認情報として生成し、当該生成された前記出力内容確認情報を前記報知部から報知させることを特徴とする請求項１に記載の画像形成装置。
【請求項３】
前記制御部は、
前記出力内容確認情報の生成後、当該出力内容確認情報における前記プリントジョブに対応する画像出力動作及び前記画像形成装置に設定された所定の出力動作に係る出力予定内容の所定の出力単位毎の出力順に変更が生じたか否かを判定し、前記出力順に変更が生じたと判定された場合に、当該変更後の出力順に従って、前記プリントジョブに対応する画像出力動作及び前記画像形成装置に設定された所定の出力動作に係る出力予定内容を所定の出力単位毎に並べて前記出力内容確認情報を再度生成することを特徴とする請求項２に記載の画像形成装置。
【請求項４】
前記制御部は、
生成された前記出力内容確認情報を記憶部に記憶させ、ユーザによる操作部の所定操作に基づいて入力された報知指示に基づいて、前記記憶部から前記出力内容確認情報を取得して、当該出力内容確認情報を前記報知部から報知させることを特徴とする請求項２又は３に記載の画像形成装置。
【請求項５】
前記制御部は、
生成された前記出力内容確認情報に基づいて、前記プリントジョブに対応する画像出力動作及び前記画像形成装置に設定された所定の出力動作に係る出力予定内容の内容確認画面を、前記報知部としての表示部に表示させることを特徴とする請求項３又は４に記載の画像形成装置。
【請求項６】
前記制御部は、
ユーザによる前記操作部の所定操作に基づいて前記報知指示が入力されたか否かを判定し、当該判定の結果、前記報知指示が入力されていないと判定された場合に、前記プリントジョブに対応する画像出力動作のみの出力予定内容の内容確認画面を前記表示部に表示させることを特徴とする請求項５に記載の画像形成装置。
【請求項７】
前記制御部は、
前記内容確認画面内で、前記プリントジョブに対応する画像出力動作及び前記画像形成装置に設定された所定の出力動作に係る出力予定内容を互いに識別可能な表示態様として前記表示部に表示させることを特徴とする請求項５又は６に記載の画像形成装置。
【発明の詳細な説明】
【技術分野】
【０００１】
本発明は、画像形成装置に関する。
【背景技術】
【０００２】
近年、プリントジョブを実行して印刷データの画像形成を行う際、画像形成される用紙のイメージ画像（プレビュー画像）を画面上に表示させ、画像形成前にユーザがプリントジョブの出力内容を確認できるようにした画像形成装置が知られている。
【０００３】
例えば、印刷データを印刷する用紙を供給する給紙部各々に識別情報を設定し、印刷データのプレビュー画像を生成する際にユーザによる給紙部（用紙）の指定を受け付け、上記識別情報を利用して指定された給紙部を特定したうえでプレビュー画像を生成して表示することで、所望の用紙に印刷データが印刷されるか否かを印刷前に確認することが可能な技術が開示されている（例えば、特許文献１参照）。これにより、例えば合紙の挿入位置と給紙部とを指定することで、合紙を挿入した状態を含むプレビュー画像を生成して表示することができる。
【０００４】
また、印刷データにカバーページを付加したＦＡＸ送信データをプレビューする際に、一時保存した中間コード形式のＦＡＸ送信データから取得したカバーページの設定情報とユーザが選択したカバーページのプレビュー方法に基づいて、カバーページ及び印刷データのプレビューを制御する技術が開示されている（例えば、特許文献２参照）。これにより、送信先が複数のＦＡＸ送信データに個別のカバーページを添付する場合であっても、ユーザが混乱しないような形式でその内容をプレビューすることができる。
【０００５】
また、印刷時にジョブのストアが指示された場合に、ジョブの中間データ及び出力用ジョブ設定ファイルをスプールファイルに格納し、当該ストアされたジョブがユーザに選択されたときに、プレビューアによって当該ジョブの印刷イメージをプレビューする技術が開示されている（例えば、特許文献３参照）。これにより、例えば製本印刷や表紙の挿入などの印刷設定が指定された場合に、印刷設定を反映したプレビューを行うことができる。
【０００６】
また、読み取った原稿又は仮想の原稿をプレビュー画面内にプレビュー画像として表示するとともに、タッチパネル或いはマウスを使用して画像の簡易編集及び後処理の設定を表示されたプレビュー画像に反映させながら行うことが可能な技術が開示されている（例えば、特許文献４参照）。これにより、例えば移動、拡大縮小、画像の回転などの画像編集やステープリング、穴あけなどの後処理の位置設定等を反映したプレビュー画像を表示することができる。
【０００７】
このように、従来の画像形成装置は、印刷データをプレビューする際、各プリントジョブに対して設定されるジョブ設定を反映したプレビューを行うことができる。
【先行技術文献】
【特許文献】
【０００８】
【特許文献１】特開２００４−１１８２７７号公報
【特許文献２】特開２００３−３２４０４号公報
【特許文献３】特開２００１−１３００８３号公報
【特許文献４】特開２００４−２８２４３９号公報
【発明の概要】
【発明が解決しようとする課題】
【０００９】
しかしながら、上記特許文献１〜４記載の技術にあっては、ジョブ設定とは別に画像形成装置自体に設定された各種の出力動作、例えば、仕切り紙挿入機能、サンプル排紙機能、自動濃度調整紙挿入機能などの内容をプレビューすることはできない。このため、画像形成装置に設定された所定の出力動作の内容に変更や設定ミスが生じた場合に、その後に生じる可能性のあるプリントミスを事前に確認することができない虞があった。
なお、プリントミスが生じても、後工程での手直しで対応することが可能であるが、当該手直しの作業は面倒であり、使い勝手が悪いといった問題もある。
【００１０】
本発明は、画像形成装置自体に設定された所定の出力動作の内容を事前に確認できる画像形成装置を提供することを目的とする。
【課題を解決するための手段】
【００１１】
請求項１に記載の発明は、上記目的を達成するためになされたものであり、プリントジョブに基づいて記録媒体に画像を形成して出力する画像形成装置であって、当該画像形成装置による出力動作の実行を制御する制御部を備え、前記制御部は、前記プリントジョブに対応する画像出力動作の設定とは別に前記画像形成装置に設定された所定の出力動作の設定内容及び前記プリントジョブに基づいて、当該プリントジョブに対応する画像出力動作の内容及び前記画像形成装置に設定された所定の出力動作の内容の確認用の出力内容確認情報を、報知部から報知させることを特徴とする。
【００１２】
請求項２に記載の発明は、請求項１に記載の画像形成装置において、前記制御部は、ユーザによる操作部の所定操作に基づいて入力された情報生成開始指示に基づいて、前記プリントジョブに対応する画像出力動作及び前記画像形成装置に設定された所定の出力動作に係る出力予定内容を所定の出力単位毎に出力順に並べた情報を前記出力内容確認情報として生成し、当該生成された前記出力内容確認情報を前記報知部から報知させることを特徴とする。
【００１３】
請求項３に記載の発明は、請求項２に記載の画像形成装置において、前記制御部は、前記出力内容確認情報の生成後、当該出力内容確認情報における前記プリントジョブに対応する画像出力動作及び前記画像形成装置に設定された所定の出力動作に係る出力予定内容の所定の出力単位毎の出力順に変更が生じたか否かを判定し、前記出力順に変更が生じたと判定された場合に、当該変更後の出力順に従って、前記プリントジョブに対応する画像出力動作及び前記画像形成装置に設定された所定の出力動作に係る出力予定内容を所定の出力単位毎に並べて前記出力内容確認情報を再度生成することを特徴とする。
【００１４】
請求項４に記載の発明は、請求項２又は３に記載の画像形成装置において、前記制御部は、生成された前記出力内容確認情報を記憶部に記憶させ、ユーザによる操作部の所定操作に基づいて入力された報知指示に基づいて、前記記憶部から前記出力内容確認情報を取得して、当該出力内容確認情報を前記報知部から報知させることを特徴とする。
【００１５】
請求項５に記載の発明は、請求項３又は４に記載の画像形成装置において、前記制御部は、生成された前記出力内容確認情報に基づいて、前記プリントジョブに対応する画像出力動作及び前記画像形成装置に設定された所定の出力動作に係る出力予定内容の内容確認画面を、前記報知部としての表示部に表示させることを特徴とする。
【００１６】
請求項６に記載の発明は、請求項５に記載の画像形成装置において、前記制御部は、ユーザによる前記操作部の所定操作に基づいて前記報知指示が入力されたか否かを判定し、当該判定の結果、前記報知指示が入力されていないと判定された場合に、前記プリントジョブに対応する画像出力動作のみの出力予定内容の内容確認画面を前記表示部に表示させることを特徴とする。
【００１７】
請求項７に記載の発明は、請求項５又は６に記載の画像形成装置において、前記制御部は、前記内容確認画面内で、前記プリントジョブに対応する画像出力動作及び前記画像形成装置に設定された所定の出力動作に係る出力予定内容を互いに識別可能な表示態様として前記表示部に表示させることを特徴とする。
【発明の効果】
【００１８】
本発明によれば、画像形成装置自体に設定された所定の出力動作の内容を事前に確認できる。
【図面の簡単な説明】
【００１９】
【図１】本実施形態に係る画像形成装置１の概略構成を示した図である。
【図２】本実施形態に係る画像形成装置１の機能ブロック図である。
【図３】ジョブ出力リストの一例について示した図である。
【図４】ジョブリスト画面Ｇ１の一例について示した図である。
【図５】機械設定画面Ｇ２の一例について示した図である。
【図６】仕切り紙設定画面Ｇ３の一例について示した図である。
【図７】サンプル排紙設定画面Ｇ４の一例について示した図である。
【図８】自動濃度調整画面Ｇ５の一例について示した図である。
【図９】ジョブ設定画面Ｇ６の一例について示した図である。
【図１０】プレビュー画面Ｇ７の一例について示した図である。
【図１１】ジョブ設定をプレビューに反映させるプレビュー画面表示処理の一例について示したフローチャートである。
【図１２】本実施形態に係る画像形成装置１内で行われるプレビュー画面表示処理の一例について示したフローチャートである。
【図１３】本実施形態に係る画像形成装置１において行われる、機械設定を反映したプレビュー画面Ｇ７の表示遷移の一例について示した図である。
【図１４】変形例１に係る画像形成装置１内で行われるプレビュー画面表示処理の一例について示したフローチャートである。
【図１５】変形例２に係る画像形成装置１内で行われるプレビュー画面表示処理の一例について示したフローチャートである。
【図１６】変形例２に係る画像形成装置１において行われる、仕切り紙を識別可能に表示したプレビュー画面Ｇ７の表示遷移の一例について示した図である。
【図１７】変形例２に係る画像形成装置１において行われる、サンプル紙を識別可能に表示したプレビュー画面Ｇ７の表示遷移の一例について示した図である。
【図１８】変形例２に係る画像形成装置１において行われる、サンプル紙を識別可能に表示したプレビュー画面Ｇ７の表示遷移の一例について示した図である。
【図１９】変形例３に係る画像形成装置１内で行われるプレビュー画面表示処理の一例について示したフローチャートである。
【発明を実施するための形態】
【００２０】
以下、本発明の実施の形態を図面に基づいて説明する。
【００２１】
図１は、本実施形態に係る画像形成装置１の概略構成を示した図である。また、図２は、画像形成装置１の機能ブロック図である。
画像形成装置１は、原稿から読み取った画像データを用紙（記録媒体）に画像形成して出力したり、外部装置等から受信したプリントジョブに基づいて用紙に画像形成して出力したりするデジタル複合機である。なお、画像形成装置１は、画像が形成された用紙に対してパンチ処理、ステイプル処理、折り処理、断裁処理等を施す後処理部を備える構成としてもよい。
【００２２】
図１及び図２に示すように、画像形成装置１は、本体部１ａと、プリントコントローラ１ｂと、を備えて構成され、プリントコントローラ１ｂのＬＡＮＩＦ（Local Area Network InterFace）５４を介して、ネットワークＮ上の外部装置２と相互に情報の送受信が可能に接続されている。
【００２３】
本体部１ａは、本体制御部１０と、画像読取部２０と、操作部３０と、プリンタ部４０と、を備えて構成される。
【００２４】
本体制御部１０は、画像制御部１１と、不揮発メモリ１２と、読取処理部１３と、圧縮ＩＣ（Integrated Circuit）１４と、ＤＲＡＭ制御ＩＣ１５と、画像メモリ１６と、伸長ＩＣ１７と、書込処理部１８と、を備えて構成される。
【００２５】
画像制御部１１は、ＣＰＵ（Central Processing Unit）１１１、ＲＯＭ（Read Only Memory）１１２、ＲＡＭ（Random Access Memory）１１３等を備えて構成され、画像形成装置１の各部を制御する。
ＣＰＵ１１１は、ＲＯＭ１１２に格納された処理プログラム等を読み出してＲＡＭ１１３に展開し、この展開されたプログラムとの協働で各種処理を実行することにより、画像形成装置１全体の制御を行う。
ＲＯＭ１１２は、例えば半導体メモリで構成され、処理プログラムやデータ等が予め記憶されている。ＲＯＭ１１２には、例えばジョブ出力リスト（後述する図３参照）に基づいてプレビュー画面を表示部３１に表示させるプレビュー画面表示プログラム等が記憶されている。
ＲＡＭ１１３は、ＣＰＵ１１１により実行された処理プログラム等を、ＲＡＭ１１３内のプログラム格納領域に展開するとともに、入力データや上記処理プログラムが実行される際に生じる処理結果等をデータ格納領域に格納する。また、ＲＡＭ１１３は、ＣＰＵ１１１の制御下にて、各プリントジョブに対して設定されるジョブ設定（例えば合紙の挿入、カバーページの添付など）やジョブ出力リスト（例えば、第１出力リストＬ１や第２出力リストＬ２など）等を格納する。
【００２６】
ここで、ジョブ出力リストの一例について、図３（ａ）及び図３（ｂ）を参照して説明する。
ジョブ出力リストとは、画像形成装置１によって実行される出力動作に従って出力される予定の内容（例えば、出力予定画像、合紙、カバーページ、仕切り紙、サンプル紙、自動濃度調整紙など）を所定の出力単位毎（例えば、ページ毎）に出力順に並べた情報のことである（図３（ａ）及び図３（ｂ）参照）。
また、ジョブ出力リストとしては、図３（ａ）及び図３（ｂ）に示すように、ジョブ設定を反映したジョブ出力リスト（第１出力リストＬ１）と、第１出力リストＬ１にさらに当該画像形成装置１による機械設定（詳しくは後述する図４参照）を反映したジョブ出力リスト（第２出力リストＬ２）とがある。
【００２７】
第１出力リストＬ１は、図３（ａ）に示すように、プリントジョブの各出力用紙に対応した複数のノード（用紙ノード１、２、…Ｎ）で構成されており、画像形成される順番（出力順）で配列されている。
これら用紙ノード１、２、…Ｎの各々は、用紙毎の出力条件を規定する複数の各種項目に対応した情報を記憶する領域を具備する。これら複数の各種項目としては、用紙番号Ｃ１、原稿ページ番号Ｃ２、部番号Ｃ３、ブランクｏｒ印字Ｃ４、画像アドレスＣ５、片面ｏｒ両面Ｃ６、トレイ番号Ｃ７、通常紙Ｃ８、…次ノードアドレスＣ９、前ノードアドレスＣ１０等が挙げられる。
なお、通常紙Ｃ８の項目は、後述するように、出力される記録媒体として、「通常紙」若しくは「特別紙」が設定される項目（例えば、図３（ｂ）における通常紙／特別紙Ｃ１８参照）であるが、第１出力リストＬ１にあっては、機械設定が反映されないため「特別紙」は設定されず、「通常紙」のみが設定される。また、最終用紙ノードＮの次ノードアドレスＣ９及び先頭用紙ノード１の前ノードアドレスＣ１０には、設定なしの状態を示す「NULL」が格納されている。
【００２８】
第２出力リストＬ２は、図３（ｂ）に示すように、第１出力リストＬ１と同様に、複数の用紙ノード１、２、…Ｎで構成されており、画像形成される順番で配列されている。
これら用紙ノード１、２、…Ｎの各々は、用紙毎の出力条件を規定する複数の各種項目に対応した情報を記憶する領域を具備する。これら複数の各種項目としては、用紙番号Ｃ１１、原稿ページ番号Ｃ１２、部番号Ｃ１３、ブランクｏｒ印字Ｃ１４、画像アドレスＣ１５、片面ｏｒ両面Ｃ１６、トレイ番号Ｃ１７、通常紙／特別紙Ｃ１８、…次ノードアドレスＣ１９、前ノードアドレスＣ２０等が挙げられる。
図３（ｂ）では、用紙ノード１、３の通常紙／特別紙Ｃ１８の項目に「特別紙」が設定されており、当該第２出力リストＬ２に対応するプリントジョブで出力される用紙のうち１枚目と３枚目に「特別紙」が出力されることとなる。即ち、第２出力リストＬ２は、用紙ノード１、２、…Ｎに対応する用紙データの出力用紙が「特別紙」である場合に、通常紙／特別紙Ｃ１８に「特別紙」と設定することで、出力用紙が「通常紙」であるか「特別紙」であるかを識別可能としている。なお、「特別紙」とは、機械設定に基づいて実行される出力動作で用いられる用紙のことであり、例えば仕切り紙、サンプル紙、自動濃度調整紙等が挙げられる。
【００２９】
なお、図３（ａ）及び図３（ｂ）に第１出力リスト及び第２出力リストとして例示したものは一例であって、格納されている各種情報などはこれに限られるものではなく、適宜任意に変更可能である。
【００３０】
不揮発メモリ１２は、スキャナ部２２で読み取って生成したプリントジョブのデータやプリントコントローラ１ｂを介して外部装置２から受信したプリントジョブのデータ等の情報を記憶する。また、不揮発メモリ１２は、後述する図６〜図８に示す機械設定に係る設定画面（仕切り紙設定画面Ｇ３、サンプル排紙設定画面Ｇ４、自動濃度調整画面Ｇ５）におけるユーザ操作に基づいて設定された各種の設定条件に係る設定情報を記憶する。
【００３１】
読取処理部１３は、画像読取部２０から入力されるアナログ画像信号に、シェーディング補正処理、Ａ／Ｄ変換処理等の各種処理を施して、デジタル画像データを生成する。生成されたデジタル画像データは、圧縮ＩＣ１４に出力される。
【００３２】
圧縮ＩＣ１４は、入力されたデジタル画像データに圧縮処理を施してＤＲＡＭ制御ＩＣ１５に出力する。
【００３３】
ＤＲＡＭ制御ＩＣ１５は、画像制御部１１からの指示に従って、圧縮ＩＣ１４による画像データの圧縮処理及び伸長ＩＣ１７による圧縮画像データの伸長処理を制御するとともに、画像メモリ１６への画像データの入出力制御を行う。例えば、ＤＲＡＭ制御ＩＣ１５は、画像読取部２０により読み取られた画像データの保存が指示されると、読取処理部１３から入力された画像データの圧縮処理を圧縮ＩＣ１４により実行させて、圧縮画像データを画像メモリ１６の圧縮メモリ１６ａに格納させる。また、ＤＲＡＭ制御ＩＣ１５は、圧縮メモリ１６ａに格納された圧縮画像データのプリント出力が指示されると、圧縮メモリ１６ａから圧縮画像データを読み出し、伸長ＩＣ１７により伸長処理を実行させてページメモリ１６ｂに格納させる。そして、ページメモリ１６ｂから非圧縮画像データを読み出して書込処理部１８に出力する。ＤＲＡＭ制御ＩＣ１５は、画像形成部４１による画像形成後に、画像形成済みの画像データを圧縮メモリ１６ａ及びページメモリ１６ｂから削除する。
【００３４】
画像メモリ１６は、例えば、ＤＲＡＭ（Dynamic RAM）で構成され、圧縮メモリ１６ａ、ページメモリ１６ｂを備える。圧縮メモリ１６ａは、圧縮画像データを格納するためのメモリであり、ページメモリ１６ｂは、画像形成前にプリント対象の非圧縮画像データを一時的に格納するためのメモリである。
【００３５】
伸長ＩＣ１７は、入力される圧縮画像データに伸長処理を施す。
【００３６】
書込処理部１８は、ＤＲＡＭ制御ＩＣ１５から入力されたプリント対象の画像データに基づいて、画像形成のためのプリント用画像データを生成し、プリンタ部４０に出力する。
【００３７】
画像読取部２０は、ＡＤＦ（Auto Document Feeder）部２１と、スキャナ部２２と、読取制御部２３と、を備えて構成される。読取制御部２３は、画像制御部１１からの指示に従って、ＡＤＦ部２１、スキャナ部２２を制御して原稿面の光走査を実行させ、読み取られたアナログ画像信号を読取処理部１３に出力する。
具体的には、ＡＤＦ部２１の原稿トレイに載置された原稿をスキャナ部２２の読取個所であるコンタクトガラスに搬送して原稿面の露光走査を行い、ＣＣＤ（Charge Coupled Device）により光の反射光の光電変換を行って原稿の片面又は両面の画像を読み取る。ここで、画像とは、図形や写真等のイメージデータに限らず、文字や記号等のテキストデータ等も含む。スキャナ部２２により読み取られた画像（アナログ画像信号）は、読取処理部１３に出力され、本体制御部１０においてＡ／Ｄ変換され、各種画像処理が施された後、プリンタ部４０に出力される。
【００３８】
操作部３０は、表示部３１と、表示制御部３２と、その他図示しない各種機能ボタン（例えば数字ボタン、スタートボタン等）等を備えて構成される。
表示部３１は、例えば、ＬＣＤ（Liquid Crystal Display）、ＬＣＤを覆うように設けられたタッチパネルを備えて構成され、ユーザによる入力操作を受け付けると、その入力情報を本体制御部１０に出力する。また、表示部３１は、本体制御部１０から入力される表示信号に従って、各種設定条件を入力するための各種設定画面（後述する図４〜図１０参照）や各種処理結果等を表示する。
表示制御部３２は、各種機能ボタン又はタッチパネルにより操作された操作信号を、画像制御部１１に出力する。また、表示制御部３２は、画像制御部１１からの指示に従って、表示部３１に各種設定画面や、各種処理結果を表示させる。
【００３９】
ここで、表示部３１に表示される各種設定画面について、図４〜図１０を用いて説明する。
【００４０】
図４は、ジョブリスト画面Ｇ１の一例について示した図である。
図４に示すように、表示部３１は、ジョブリスト画面Ｇ１において、機械設定ボタンＢ１、ＪＯＢ設定ボタンＢ２、プレビューボタンＢ３を表示する。また、印刷待機中のジョブリストを表示するジョブリスト表示領域Ｅ１を表示する。また、プレビューボタンＢ３の下方に、機械設定をプレビューに反映させる機械設定ＯＮボタンＢ３１、機械設定をプレビューに反映させない機械設定ＯＦＦボタンＢ３２を表示する。
【００４１】
ここで、機械設定とは、ジョブ設定の有無に拘わらず画像形成装置１自体に設定された所定の出力動作の設定内容のことである。この機械設定は、ジョブ設定より前に設定されても後に設定されてもよい。
また、画像形成装置１に設定された所定の出力動作とは、プリントジョブ（ジョブ設定）とは独立して設定された情報に基づいて当該画像形成装置１により実行される各種処理動作のことである。即ち、画像形成装置１に設定された所定の出力動作は、一のプリントジョブに対応する画像出力動作に対して実行されるものもあれば、複数のプリントジョブに対応する画像出力動作に対して共通して実行されるものもあるが、如何なるプリントジョブからも独立した設定処理により設定された機械設定に基づいて実行される。画像形成装置１に設定された所定の出力動作としては、例えば仕切り紙の挿入、サンプル排紙、自動濃度調整紙の挿入などが挙げられる。
なお、プリントジョブに対応する画像出力動作とは、プリントジョブに基づいて実行される各種の出力動作のことである。即ち、プリントジョブに対応する画像出力動作は、プリントジョブの設定（ジョブ設定）に基づいた出力動作であればよく、出力される記録媒体に対する画像形成の有無は問わない。従って、プリントジョブに対応する画像出力動作としては、例えば合紙の挿入やカバーページの添付などを含む。
【００４２】
ジョブリスト画面Ｇ１において、ユーザが機械設定ボタンＢ１を押圧操作すると、表示制御部３２は、機械設定画面Ｇ２（図５参照）を表示部３１の表示領域に表示させる。また、ＪＯＢ設定ボタンＢ２を押圧操作すると、表示制御部３２は、ジョブ設定画面Ｇ６（図９参照）を表示部３１の表示領域に表示させる。また、プレビューボタンＢ３を押圧操作すると、表示制御部３２は、プレビュー画面Ｇ７（図１０参照）を表示部３１の表示領域に表示させる。ただし、プレビュー画面Ｇ７を表示させるには、ジョブリスト表示領域Ｅ１において、事前にプレビューしたいジョブを選択する必要がある。例えば図４に示すように、「ＪＯＢ２」を選択した状態でプレビューボタンＢ３が押圧操作されると、ＪＯＢ２のプレビュー画面Ｇ７が表示されることとなる。
【００４３】
また、ジョブリスト画面Ｇ１において、ユーザが機械設定ＯＮボタンＢ３１を押圧操作すると、表示制御部３２は、プレビュー画面Ｇ７に機械設定を反映させて表示部３１の表示領域に表示させる。一方、機械設定ＯＦＦボタンＢ３２を押圧操作すると、表示制御部３２は、プレビュー画面Ｇ７に機械設定を反映させずに表示部３１の表示領域に表示させる。
【００４４】
また、ジョブリスト画面Ｇ１において、ユーザによる操作部３０のタッチパネルのプレビューボタンＢ３の押圧操作が検出されると、表示制御部３２は、当該操作に対応した報知指示を画像制御部１１に出力する。
ここで、報知指示とは、画像制御部１１のＣＰＵ１１１の制御に従って、出力動作に係る出力予定内容の確認用の出力内容確認情報を表示部３１に表示させるための指示のことである。報知指示には、例えばプレビュー画面Ｇ７を表示部３１に表示させるためのプレビュー指示等が挙げられる。
【００４５】
図５は、機械設定画面Ｇ２の一例について示した図である。
図５に示すように、表示部３１は、機械設定画面Ｇ２において、仕切り紙設定ボタンＢ４、サンプル排紙設定ボタンＢ５、自動濃度調整ボタンＢ６等を表示する。
機械設定画面Ｇ２において、ユーザが仕切り紙設定ボタンＢ４を押圧操作すると、表示制御部３２は、仕切り紙設定画面Ｇ３（図６参照）を表示部３１の表示領域に表示させる。また、サンプル排紙設定ボタンＢ５を押圧操作すると、表示制御部３２は、サンプル排紙設定画面Ｇ４（図７参照）を表示部３１の表示領域に表示させる。また、自動濃度調整ボタンＢ６を押圧操作すると、表示制御部３２は、自動濃度調整画面Ｇ５（図８参照）を表示部３１の表示領域に表示させる。
【００４６】
図６は、仕切り紙設定画面Ｇ３の一例について示した図である。
図６に示すように、表示部３１は、仕切り紙設定画面Ｇ３において、仕切り紙を給紙（格納）するトレイを設定する仕切り紙トレイ設定領域Ｅ２、仕切り紙を挿入するタイミングを設定する仕切り紙挿入設定領域Ｅ３、数値を入力するテンキーＫ１等を表示する。仕切り紙を挿入するタイミングは、ＪＯＢ単位、部単位、枚数単位で設定することができる。例えば図６では、仕切り紙トレイとして「トレイ５」、挿入タイミングとして「２ＪＯＢ単位」、が設定されているので、２ＪＯＢ出力する毎にトレイ５から仕切り紙が出力されることとなる。
【００４７】
図７は、サンプル排紙設定画面Ｇ４の一例について示した図である。
図７に示すように、表示部３１は、サンプル排紙設定画面Ｇ４において、サンプル紙を給紙（格納）するトレイを設定するサンプル紙トレイ設定領域Ｅ４、サンプル紙を挿入するタイミングを設定するサンプル紙挿入設定領域Ｅ５、数値を入力するテンキーＫ２等を表示する。サンプル紙を挿入するタイミングは、枚数周期、部周期で設定することができる。例えば図７では、サンプル紙トレイとして「トレイ５」、挿入タイミングとして「１０枚数周期」、が設定されているので、１０枚出力する毎にトレイ５から給紙され、サンプル排紙されることとなる。また、図７の状態から、挿入タイミングを部周期（２部３枚周期）に切り替えると、各ジョブにおいて２部目の３枚目を出力するときにトレイ５から給紙され、サンプル排紙されることとなる。
【００４８】
図８は、自動濃度調整画面Ｇ５の一例について示した図である。
図８に示すように、表示部３１は、自動濃度調整画面Ｇ５において、出力紙の濃度調整を行うか否かを決定する出力紙濃度調整使用可否決定領域Ｅ６、濃度調整の強度を決定する調整強度決定領域Ｅ７、自動調整を行うか否かを決定する自動調整可否決定領域Ｅ８、調整間隔を決定する調整間隔決定領域Ｅ９、ジョブの途中で調整を行うか否かを決定するジョブ中調整可否決定領域Ｅ１０等を表示する。例えば図８では、出力紙濃度調整使用可否決定領域Ｅ６にて「する」、調整間隔を決定する調整間隔決定領域Ｅ９にて「５０００枚毎」、が設定されているので、５０００枚出力する毎に濃度調整紙が出力されることとなる。
【００４９】
図９は、ジョブ設定画面Ｇ６の一例について示した図である。
図９に示すように、表示部３１は、ジョブ設定画面Ｇ６において、プリントジョブの出力総部数や画像形成する用紙の面を設定する部数／印刷面領域Ｅ１１、プリントジョブの出力用紙の設定を行う原稿設定領域Ｅ１２、画質の設定を行う画質設定領域Ｅ１３、出力用紙の倍率を設定する倍率設定領域Ｅ１４、出力条件の設定を行う出力条件設定領域Ｅ１５、画像形成された用紙の出力先（排紙トレイ）や後処理を設定する出力設定領域Ｅ１６、応用設定を行う応用設定領域Ｅ１７等を表示する。
【００５０】
表示制御部３２は、図６〜図９に示した各種設定画面において、ユーザによる操作部３０の所定操作が検出されると、当該操作に対応した設定情報を生成させるための情報生成開始指示を画像制御部１１に出力する。設定情報とは、所定領域において入力された数値情報や押圧操作されたボタン情報等からなる設定条件に係る情報のことである。
画像制御部１１に出力された設定情報のうち、機械設定に係る設定画面（仕切り紙設定画面Ｇ３、サンプル排紙設定画面Ｇ４、自動濃度調整画面Ｇ５）におけるユーザ操作に基づいて設定された設定情報は、画像制御部１１から不揮発メモリ１２に出力されて格納される。また、ジョブ設定に係る設定画面（ジョブ設定画面Ｇ６）におけるユーザ操作に基づいて設定された設定情報は、画像制御部１１のＲＡＭ１１２に格納される。
【００５１】
画像制御部１１のＣＰＵ１１１は、ユーザによる操作部３０の所定操作に基づいて入力された情報生成開始指示に基づいて、プリントジョブに対応する画像出力動作及び画像形成装置１に設定された所定の出力動作に係る出力予定内容を所定の出力単位毎に出力順に並べた情報を出力内容確認情報（例えば、第２出力リストＬ２）として生成する。具体的には、プリントジョブに対応する画像出力動作に係る設定情報をＲＡＭ１１３から取得するとともに、画像形成装置１に設定された所定の出力動作に係る設定情報を不揮発メモリ１２から取得し、これらの設定情報を、所定の出力単位毎の出力条件を規定する項目に対応させて出力順に並べることで、出力内容確認情報を生成する。
そして、画像制御部１１のＣＰＵ１１１は、生成した出力内容確認情報（例えば、第２出力リストＬ２）をＲＡＭ１１３に記憶させる。
【００５２】
図１０は、プレビュー画面Ｇ７の一例について示した図である。
図１０に示すように、表示部３１は、プレビュー画面Ｇ７において、出力用紙のプレビューを表示するプレビュー表示領域Ｅ１８、原稿のオモテ面又はウラ面のいずれをプレビューするか指定する表裏切替領域Ｅ１９、プレビューする用紙を切り替える表示用紙切替領域Ｅ２０、現に表示している用紙の用紙番号を表示する用紙番号表示領域Ｅ２１、ユーザに対する各種メッセージを表示するメッセージ表示領域Ｅ２２、現に表示している用紙の各種属性をテキスト表示する用紙情報表示領域Ｅ２３等を表示する。なお、図４のプレビューボタンＢ３の押圧操作によりジョブリスト画面Ｇ１からプレビュー画面Ｇ７に切り替わった際、プレビュー表示領域Ｅ１８には、ジョブの先頭用紙のプレビューが初期表示として表示される。
【００５３】
図１０に示したプレビュー画面Ｇ７は、例えば画像制御部１１のＣＰＵ１１１が後述するプレビュー画面表示処理を行うことにより、表示部３１に表示される。
即ち、画像制御部１１のＣＰＵ１１１は、プリントジョブに対応する画像出力動作の設定とは別に画像形成装置１に設定された所定の出力動作の設定内容及びプリントジョブに基づいて、プリントジョブに対応する画像出力動作の内容及び画像形成装置１に設定された所定の出力動作の内容の確認用の出力内容確認情報（例えば、第２出力リストＬ２）を、表示部３１に表示させる。具体的には、画像制御部１１のＣＰＵ１１１は、例えば出力内容確認情報（例えば、第２出力リストＬ２）に基づいて表示用の画面データ（例えば、プレビュー画像）を生成し、表示制御部３２との協働により当該表示用画面データ（例えば、プレビュー画面Ｇ７）を表示部３１に表示させる。
【００５４】
プリンタ部４０は、画像形成部４１と、給紙ユニット４２と、プリンタ制御部４３と、を備えて構成される。
画像形成部４１は、像担持体である感光ドラム、感光ドラムの帯電を行う帯電部、画像データに基づいて感光ドラム表面を露光走査する露光部、感光ドラム上の静電潜像を現像する現像部、感光ドラム上に形成されたトナー像を記録用紙に転写する転写部、感光ドラム上の残トナーを除去するクリーニング部、記録用紙上に形成されたトナー像を定着させる定着部、等で構成され、給紙ユニット４２から給紙された記録媒体としての記録用紙に画像形成を行う。なお、本実施形態では、電子写真方式の画像形成処理を例示して説明するが、これに限らず、インクジェット方式、熱昇華方式等、他のプリント方式を利用して画像形成を行ってもよい。
プリンタ制御部４３は、画像制御部１１からの指示に従ってプリンタ部４０の各部の動作を制御し、書込処理部１８から入力されたプリント用画像データに基づいて用紙に画像形成を行わせる。
【００５５】
次に、プリントコントローラ１ｂの各部について説明する。
プリントコントローラ１ｂは、画像形成装置１をネットワークプリンタとして使用する場合に、ネットワークＮに接続される外部装置２から画像形成装置１に入力されるプリントジョブの管理及び制御を行うものであり、外部装置２からプリント対象のデータを受信し、当該データをプリントジョブデータとして本体部１ａへ送信する。
【００５６】
プリントコントローラ１ｂは、コントローラ制御部５１と、ＤＲＡＭ制御ＩＣ５２と、画像メモリ５３と、ＬＡＮＩＦ５４と、を備えて構成される。
【００５７】
コントローラ制御部５１は、プリントコントローラ１ｂの各部の動作を統括的に制御し、ＬＡＮＩＦ５４を介して外部装置２から入力される画像データをプリントジョブとして本体部１ａに出力する。
【００５８】
ＤＲＡＭ制御ＩＣ５２は、ＬＡＮＩＦ５４により受信された画像データの画像メモリ５３への格納や、画像メモリ５３からの画像データの読み出しを制御する。また、ＤＲＡＭ制御ＩＣ５２は、本体制御部１０のＤＲＡＭ制御ＩＣ１５とＰＣＩ（Peripheral Components Interconnect）バスで接続されており、コントローラ制御部５１からの指示に従って、プリント対象の画像データを画像メモリ５３から読み出して、ＤＲＡＭ制御ＩＣ１５に出力する。
【００５９】
画像メモリ５３は、例えば、ＤＲＡＭで構成され、入力された画像データを一時的に格納する。
【００６０】
ＬＡＮＩＦ５４は、ＮＩＣ（Network Interface Card）やモデム等の通信インターフェイスであり、外部装置２からネットワークＮを介してプリント対象の画像データを受信する。受信された画像データは、ＤＲＡＭ制御ＩＣ５２に出力される。
【００６１】
外部装置２は、ユーザ操作等によりプリントするプリントジョブのデータを生成し、ネットワークＮを介して画像形成装置１に送信する。また、外部装置２は、例えばプレビュー画面Ｇ７を表示する表示部を備えるようにしてもよい。なお、外部装置２としては、例えばＰＣやサーバ装置、ＰＤＡ等の携帯機器等を適用可能である。
【００６２】
次に、本実施形態に係る画像形成装置１の動作について説明する。
まず、ジョブ設定をプレビューに反映させるプレビュー画面表示処理について、図１１のフローチャートを用いて説明する。このプレビュー画面表示処理は、画像制御部１１のＣＰＵ１１１がＲＯＭ１１２に格納されているプレビュー画面表示プログラムを実行することにより実現される。
【００６３】
図１１に示すように、ステップＳ１では、ジョブ設定を反映したジョブ出力リスト（第１出力リストＬ１；図３（ａ）参照）を生成する。具体的には、ジョブ設定に係る設定情報をＲＡＭ１１２から取得し、この設定情報を、用紙毎の出力条件を規定する項目に対応させて出力順に並べることで、第１出力リストＬ１を生成する。
そして、ステップＳ１で生成された第１出力リストＬ１は、ＲＡＭ１１３に記憶される。
【００６４】
ステップＳ２では、ユーザからのプレビュー指示があるか否かを判定する。具体的には、ユーザによるプレビューボタンＢ３の押圧操作を検出した場合に、プレビュー指示があると判定する。プレビュー指示があると判定した場合（ステップＳ２：ＹＥＳ）は、ステップＳ３へと移行する。一方、プレビュー指示がないと判定した場合（ステップＳ２：ＮＯ）は、当該プレビュー画面表示処理を終了する。
【００６５】
ステップＳ３では、プレビューする用紙の用紙番号を取得する。プレビューボタンＢ３の押圧操作に伴う移行（ステップＳ２からの移行）の場合、先頭用紙をプレビューすることになるので、用紙番号として「１」を取得する。一方、用紙番号の更新指示に伴う移行（ステップＳ６からの移行）の場合、更新指示に従って用紙番号を取得する。
【００６６】
ステップＳ４では、ステップＳ３で取得した用紙番号に対応する用紙データをステップＳ１で生成した第１出力リストＬ１から取得する。例えば取得した用紙番号が「１」だった場合は、第１出力リストＬ１の用紙番号Ｃ１に「１」が設定された用紙ノードの用紙データを取得する。
【００６７】
ステップＳ５では、ステップＳ４で取得した用紙データに基づいてプレビュー画面Ｇ７を表示部３１に表示させる。具体的には、取得した用紙データから当該用紙に印字される原稿画像を算出し、圧縮メモリ１６ａに格納された原稿画像に各種伸張処理を行うことでプレビュー画像を生成し、当該プレビュー画像を表示部３１に表示させる。
【００６８】
ステップＳ６では、ユーザからの用紙番号の更新指示があるか否かを判定する。具体的には、プレビュー画面Ｇ７の表示用紙切替領域Ｅ２０にて行われた表示用紙の切替操作を検出した場合に、用紙番号の更新指示があると判定する。用紙番号の更新指示があると判定した場合（ステップＳ６：ＹＥＳ）は、ステップＳ３へと移行する。一方、用紙番号の更新指示がないと判定した場合（ステップＳ６：ＮＯ）は、当該プレビュー画面表示処理を終了する。
【００６９】
このように、本実施形態に係る画像形成装置１は、第１出力リストＬ１から取得した用紙データに基づいてプレビュー画面Ｇ７を表示部３１に表示させる。
【００７０】
次に、ジョブ設定に加えて機械設定をプレビューに反映させるプレビュー画面表示処理について、図１２のフローチャートを用いて説明する。
図１２は、本実施形態に係る画像形成装置１内で行われるプレビュー画面表示処理の一例について示したフローチャートである。このプレビュー画面表示処理は、新たにプリントジョブが生成されたり、或いはプリントジョブが取得されたりしたことを契機に、画像制御部１１のＣＰＵ１１１がＲＯＭ１１２に格納されているプレビュー画面表示プログラムを実行することにより実現される。
【００７１】
図１２に示すように、ステップＳ１０１では、ジョブ設定を反映したジョブ出力リスト（第１出力リストＬ１；図３（ａ）参照）を生成する。なお、第１出力リストＬ１の生成方法は、図１１におけるプレビュー画面表示処理と略同様であり、その詳細な説明は省略する。
そして、ステップＳ１０１で生成された第１出力リストＬ１は、ＲＡＭ１１３に記憶される。
【００７２】
ステップＳ１０２では、ジョブ中又はジョブ間に出力される特別紙に関する機械設定が存在するか否かを判定する。具体的には、不揮発メモリ１２を参照し、機械設定が記憶されていた場合に、機械設定が存在すると判定する。機械設定が存在すると判定した場合（ステップＳ１０２：ＹＥＳ）は、ステップＳ１０３へと移行する。一方、機械設定が存在しないと判定した場合（ステップＳ１０２：ＮＯ）は、ステップＳ１０４へと移行する。
【００７３】
ステップＳ１０３では、ステップＳ１０１で生成された第１出力リストＬ１にさらに機械設定を反映したジョブ出力リスト（第２出力リストＬ２）を生成する。具体的には、ジョブ設定に係る設定情報をＲＡＭ１１２から取得するとともに、機械設定に係る設定情報を不揮発メモリ１２から取得し、これらの設定情報を、用紙毎の出力条件を規定する項目に対応させて出力順に並べることで、第２出力リストＬ２を生成する。
そして、ステップＳ１０３で生成された第２出力リストＬ２は、ＲＡＭ１１３に記憶される。
【００７４】
ステップＳ１０４では、プレビュー指示があるか否かを判定する。プレビュー指示があると判定した場合（ステップＳ１０４：ＹＥＳ）は、ステップＳ１０５へと移行する。一方、プレビュー指示がないと判定した場合（ステップＳ１０４：ＮＯ）は、当該プレビュー画面表示処理を終了する。
【００７５】
ステップＳ１０５では、プレビューする用紙の用紙番号を取得する。プレビューボタンＢ３の押圧操作に伴う移行（ステップＳ１０４からの移行）の場合、先頭用紙をプレビューすることになるので、用紙番号として「１」を取得する。一方、用紙番号の更新指示に伴う移行（ステップＳ１０８からの移行）の場合、更新指示に従って用紙番号を取得する。
【００７６】
ステップＳ１０６では、ステップＳ１０５で取得した用紙番号に対応する用紙データをステップＳ１０３で生成した第２出力リストＬ２から取得する。例えば取得した用紙番号が「１」だった場合は、第２出力リストＬ２の用紙番号Ｃ１１に「１」が設定された用紙ノードの用紙データを取得する。ただし、機械設定が存在しない場合（ステップＳ１０２：ＮＯ）は、第２出力リストＬ２を生成していないので、ステップＳ１０１で生成した第１出力リストＬ１から用紙データを取得する。
【００７７】
ステップＳ１０７では、ステップＳ１０６で取得した用紙データに基づいてプレビュー画面Ｇ７を表示部３１に表示させる。具体的には、取得した用紙データから当該用紙に印字される原稿画像を算出し、圧縮メモリ１６ａに格納された原稿画像に各種伸張処理を行うことでプレビュー画像を生成し、当該プレビュー画像を表示部３１に表示させる。
【００７８】
ステップＳ１０８では、用紙番号の更新指示があるか否かを判定する。用紙番号の更新指示があると判定した場合（ステップＳ１０８：ＹＥＳ）は、ステップＳ１０５へと移行する。一方、用紙番号の更新指示がないと判定した場合（ステップＳ１０８：ＮＯ）は、当該プレビュー画面表示処理を終了する。
【００７９】
このように、本実施形態に係る画像形成装置１の画像制御部１１は、ユーザによる操作部３０の所定操作に基づいて入力された報知指示（プレビュー指示）に基づいて、ＲＡＭ１１３から出力内容確認情報（第２出力リストＬ２）を取得し、当該第２出力リストＬ２に基づいて、プリントジョブに対応する画像出力動作及び画像形成装置１に設定された所定の出力動作に係る出力予定内容の内容確認画面（プレビュー画面Ｇ７）を表示部３１に表示させる。
【００８０】
これにより、画像形成装置１に設定された所定の出力動作に係る出力予定内容の内容確認画面をユーザに視認させることができるので、当該出力予定内容をユーザに事前に確認させることができる。
この結果、例えば仕切り紙の挿入における設定内容に変更や設定ミスが生じた場合でも、プリント出力前に修正することができ、後工程での手直しを不要なものとすることができる。
【００８１】
ここで、本実施形態に係る画像形成装置１において行われる、機械設定を反映したプレビュー画面Ｇ７の表示遷移の一例について、図１３（ａ）及び図１３（ｂ）を用いて説明する。図１３（ａ）及び図１３（ｂ）では、機械設定として「２ジョブ毎に仕切り紙を挿入する設定」がされている場合を例示して説明する。
【００８２】
図１３（ａ）は、機械設定をプレビューに反映しない従来の画像形成装置における表示遷移について示した図である。また、図１３（ｂ）は、本実施形態に係る画像形成装置における表示遷移について示した図である。
なお、図１３（ａ）及び図１３（ｂ）において、ＪＯＢ１は出力ページ数５枚の印刷データを１部、ＪＯＢ２は出力ページ数３枚の印刷データを１部、ＪＯＢ３は出力ページ数５枚の印刷データを１部、ＪＯＢ４は出力ページ数５枚の印刷データを１部、ＪＯＢ５は出力ページ数３枚の印刷データを１部出力する設定がされている。
また、図１３（ａ）及び図１３（ｂ）では、各ジョブの出力用紙に対応するプレビュー画面Ｇ７を左から出力順に並べて表示している。プレビュー画面Ｇ７内の数字は、プレビュー表示領域Ｅ１８に表示される用紙の用紙番号を表す。
【００８３】
図１３（ａ）に示すように、従来の画像形成装置では、プレビュー画面Ｇ７に機械設定を反映することができないため、ジョブ設定を反映したプレビュー画面Ｇ７のみが表示されている。
これに対して、本実施形態に係る画像形成装置では、図１３（ｂ）に示すように、ＪＯＢ３の先頭（図中のＸ１）とＪＯＢ５の先頭（図中のＸ２）に仕切り紙を示す白紙のプレビュー画面Ｇ７が表示されている。このように、本実施形態に係る画像形成装置は、機械設定を反映したプレビュー画面Ｇ７を表示することができる。
【００８４】
＜変形例１＞
図１４は、変形例１に係る画像形成装置１内で行われるプレビュー画面表示処理の一例について示したフローチャートである。なお、変形例１は、機械設定をプレビューに反映させるか否かをユーザが選択可能に構成した点において、上記実施形態と異なる。
【００８５】
図１４に示すように、ステップＳ２０１〜ステップＳ２０５は、図１２のステップＳ１０１〜ステップＳ１０５と同様の処理を行うため、説明を省略する。
【００８６】
ステップＳ２０６では、機械設定をプレビューに反映させるか否かを判定する。具体的には、ユーザによる機械設定ＯＮボタンＢ３１の押圧操作を検出した場合に、機械設定をプレビューに反映させると判定し、ユーザによる機械設定ＯＦＦボタンＢ３２の押圧操作を検出した場合に、機械設定をプレビューに反映させないと判定する。機械設定をプレビューに反映させると判定した場合（ステップＳ２０６：ＹＥＳ）は、ステップＳ２０７へと移行する。機械設定をプレビューに反映させないと判定した場合（ステップＳ２０６：ＮＯ）は、ステップＳ２０８へと移行する。
【００８７】
ステップＳ２０７では、ステップＳ２０５で取得した用紙番号に対応する用紙データをステップＳ２０３で生成した第２出力リストＬ２から取得する。
【００８８】
ステップＳ２０８では、ステップＳ２０５で取得した用紙番号に対応する用紙データをステップＳ２０１で生成した第１出力リストＬ１から取得する。
【００８９】
ステップＳ２０９では、ステップＳ２０７又はステップＳ２０８で取得した用紙データに基づいてプレビュー画面Ｇ７を表示部３１に表示させる。
即ち、ステップＳ２０７にて第２出力リストを取得した場合には、上記実施形態と同様に、第２出力リストＬ２から取得した用紙データに基づいてプレビュー画像を生成し、当該プレビュー画像を表示部３１に表示させる。一方、ステップＳ２０８にて第１出力リストを取得した場合には、第１出力リストＬ１から取得した用紙データに基づいてプレビュー画像を生成し、当該プレビュー画像を表示部３１に表示させる。
【００９０】
ステップＳ２１０では、用紙番号の更新指示があるか否かを判定する。用紙番号の更新指示があると判定した場合（ステップＳ２１０：ＹＥＳ）は、ステップＳ２０５へと移行する。一方、用紙番号の更新指示がないと判定した場合（ステップＳ２１０：ＮＯ）は、当該プレビュー画面表示処理を終了する。
【００９１】
このように、画像制御部１１は、ユーザによる操作部３０の所定操作に基づいて報知指示が入力されたか否かを判定する。具体的には、ユーザによる機械設定ＯＮボタンＢ３１の押圧操作を検出した場合に報知指示が入力されたと判定し、一方、ユーザによる機械設定ＯＦＦボタンＢ３２の押圧操作を検出した場合に報知指示が入力されていないと判定する。
また、画像制御部１１は、報知指示が入力されていないと判定された場合に、プリントジョブに対応する画像出力動作のみの出力予定内容の内容確認画面（プレビュー画面Ｇ７）を表示部３１に表示させる。
【００９２】
これにより、画像形成装置１に設定された所定の出力動作（機械設定）に係る出力予定内容の内容確認画面（プレビュー画面Ｇ７）を表示させるか否かをユーザが自由に選択することができるので、使い勝手の向上が期待できる。
【００９３】
＜変形例２＞
図１５は、変形例２に係る画像形成装置１内で行われるプレビュー画面表示処理の一例について示したフローチャートである。なお、変形例２は、機械設定がされた用紙（特別紙）のプレビューを識別可能な表示態様として表示させるように構成した点において、上記実施形態と異なる。
【００９４】
図１５に示すように、ステップＳ３０１〜ステップＳ３０６は、図１２のステップＳ１０１〜ステップＳ１０６と同様の処理を行うため、説明を省略する。
【００９５】
ステップＳ３０７では、ステップＳ３０６で取得した用紙データに機械設定がされているか否かを判定する。具体的には、取得した用紙データ（用紙ノード）の通常紙／特別紙Ｃ１８に「特別紙」と設定されていた場合に、用紙データに機械設定がされていると判定する。用紙データに機械設定がされていると判定した場合（ステップＳ３０７：ＹＥＳ）は、ステップＳ３０８へと移行する。一方、用紙データに機械設定がされていないと判定した場合（ステップＳ３０７：ＮＯ）は、ステップＳ３０９へと移行する。
【００９６】
ステップＳ３０８では、ステップＳ３０６で取得した用紙データに、機械設定がされていない用紙データと識別可能に表示するための情報（識別用情報）を設定する。識別用情報としては、例えば背景に色を付けるための情報、テキスト表示させるための情報、表示サイズを大きくしたり小さくしたりするための情報などが挙げられる。
【００９７】
ステップＳ３０９では、ステップＳ３０６で取得した用紙データに基づいてプレビュー画面Ｇ７を表示部３１に表示させる。用紙データに識別用情報が設定されていた場合（ステップＳ３０８からの移行）は、当該識別用情報が設定された用紙データに基づいてプレビュー画面Ｇ７を表示部３１に表示させる。
【００９８】
ステップＳ３１０では、用紙番号の更新指示があるか否かを判定する。用紙番号の更新指示があると判定した場合（ステップＳ３１０：ＹＥＳ）は、ステップＳ３０５へと移行する。一方、用紙番号の更新指示がないと判定した場合（ステップＳ３１０：ＮＯ）は、当該プレビュー画面表示処理を終了する。
【００９９】
このように、画像制御部１１は、内容確認画面（プレビュー画面Ｇ７）内で、プリントジョブに対応する画像出力動作及び画像形成装置１に設定された所定の出力動作に係る出力予定内容を互いに識別可能な表示態様として表示部３１に表示させる。
【０１００】
これにより、例えば仕切り紙と合紙をプレビュー画面Ｇ７でともに白紙で表示させる仕様となっている場合であっても、機械設定がされた用紙（仕切り紙）とそれ以外の用紙（合紙）とを識別可能に表示させることができるので、ユーザは両者を混同することなく出力内容を確認することができる。
【０１０１】
ここで、変形例２に係る画像形成装置１において行われる、機械設定がされた用紙を識別可能に表示したプレビュー画面Ｇ７の表示遷移の一例について、図１６〜図１８を用いて説明する。まず、図１６（ａ）及び図１６（ｂ）では、機械設定として「２ジョブ毎に仕切り紙を挿入する設定」場合を例示して説明する。
【０１０２】
図１６（ａ）は、機械設定をプレビューに反映しない従来の画像形成装置における表示遷移について示した図である。また、図１６（ｂ）は、変形例２に係る画像形成装置における表示遷移について示した図である。なお、図１６（ａ）及び図１６（ｂ）において、ＪＯＢ１は出力ページ数５枚の印刷データを１部、ＪＯＢ２は出力ページ数３枚の印刷データを１部、ＪＯＢ３は出力ページ数５枚の印刷データを１部、ＪＯＢ４は出力ページ数５枚の印刷データを１部、ＪＯＢ５は出力ページ数３枚の印刷データを１部出力する設定がされ、ＪＯＢ３及びＪＯＢ５では２ページ目を出力した後に白紙の合紙を挿入する設定がされている。
また、図１６（ａ）及び図１６（ｂ）では、図１３（ａ）及び図１３（ｂ）同様、プレビュー画面Ｇ７を左から出力順に並べて表示している。
【０１０３】
図１６（ａ）に示すように、従来の画像形成装置では、ＪＯＢ３の２ページ目の後（図中のＸ３）とＪＯＢ５の２ページ目の後（図中のＸ４）に合紙を示す白紙のプレビュー画面Ｇ７が表示されている。即ち、従来の画像形成装置は、合紙の挿入などのジョブ設定を反映したプレビュー画面Ｇ７を表示することができる。
これに対して、図１６（ｂ）に示すように、変形例２に係る画像形成装置では、ＪＯＢ３の先頭（図中のＸ５）とＪＯＢ５の先頭（図中のＸ６）に仕切り紙のプレビュー画面Ｇ７が表示されている。この場合、例えば仕切り紙を白紙で表示させる仕様であったとすると、同じく白紙で表示される合紙（図中のＸ７、Ｘ８）との区別がつかず、不便である。そこで、変形例２に係る画像形成装置は、図１６（ｂ）に示したように、機械設定がされた用紙とそれ以外の用紙とを識別可能に表示させるように構成したので、機械設定がされた用紙とそれ以外の用紙とを異なる用紙としてユーザに把握させることができ、例えば、仕切り紙と合紙とをユーザに混同させにくくすることができる。
【０１０４】
次に、図１７（ａ）及び図１７（ｂ）では、機械設定として「１部３枚目にサンプル排紙する設定」がされている場合を例示して説明する。
【０１０５】
図１７（ａ）は、機械設定をプレビューに反映しない従来の画像形成装置における表示遷移について示した図である。また、図１７（ｂ）は、変形例２に係る画像形成装置における表示遷移について示した図である。なお、図１７（ａ）及び図１７（ｂ）において、ＪＯＢ１〜ＪＯＢ５は、図１３（ａ）及び図１３（ｂ）と同様の設定がされ、また、図１３（ａ）及び図１３（ｂ）同様プレビュー画面Ｇ７を左から出力順に並べて表示している。
【０１０６】
図１７（ａ）に示すように、従来の画像形成装置では、プレビュー画面Ｇ７に機械設定を反映することができないため、ジョブ設定を反映したプレビュー画面Ｇ７のみが表示されている。
これに対して、変形例２に係る画像形成装置では、図１７（ｂ）に示すように、ＪＯＢ１〜ＪＯＢ５の３枚目（図中のＸ９〜Ｘ１３）にサンプル紙のプレビュー画面Ｇ７（３ページ目と同じ画面）が表示されている。サンプル紙の場合、元になる出力用紙（図中のＸ１４〜Ｘ１８）と同じプレビュー画面Ｇ７が表示されることになるが、変形例２に係る画像形成装置は、図１６（ｂ）に示したように、機械設定がされた用紙とそれ以外の用紙とを識別可能に表示させることができるので、サンプル紙と元になる出力用紙とをユーザに混同させにくくすることができる。
【０１０７】
次に、図１８（ａ）及び図１８（ｂ）では、機械設定として「１０枚毎にサンプル排紙する設定」がされている場合を例示して説明する。
【０１０８】
図１８（ａ）は、機械設定をプレビューに反映しない従来の画像形成装置における表示遷移について示した図である。また、図１８（ｂ）は、変形例２に係る画像形成装置における表示遷移について示した図である。なお、図１８（ａ）及び図１８（ｂ）において、ＪＯＢ１は出力ページ数５枚の印刷データを３部、ＪＯＢ２は出力ページ数３枚の印刷データを３部、ＪＯＢ３は出力ページ数５枚の印刷データを２部、ＪＯＢ４は出力ページ数５枚の印刷データを２部、ＪＯＢ５は出力ページ数３枚の印刷データを２部出力する設定がされている。
また、図１８（ａ）及び図１８（ｂ）では、図１３（ａ）及び図１３（ｂ）同様、プレビュー画面Ｇ７を左から出力順に並べて表示しているが、各ジョブがそれぞれ複数部で設定されているため、部数分繰り返して表示している。
【０１０９】
図１８（ａ）に示すように、従来の画像形成装置では、プレビュー画面Ｇ７に機械設定を反映することができないため、ジョブ設定を反映したプレビュー画面Ｇ７のみが表示されている。
これに対して、変形例２に係る画像形成装置では、図１８（ｂ）に示すように、１０枚毎（図中のＸ１９〜Ｘ２３）にサンプル紙のプレビュー画面Ｇ７が表示されている。変形例２に係る画像形成装置は、機械設定がされた用紙とそれ以外の用紙とを識別可能に表示させることができるので、やはりサンプル紙と元になる出力用紙とをユーザに混同させにくくすることができる。
【０１１０】
＜変形例３＞
図１９は、変形例３に係る画像形成装置１内で行われるプレビュー画面表示処理の一例について示したフローチャートである。なお、変形例３は、上記実施形態に変形例１、２をすべて組み合わせたものである。
【０１１１】
図１９に示すように、ステップＳ４０１〜ステップＳ４０８は、図１４のステップＳ２０１〜ステップＳ２０８と同様の処理を行うため、説明を省略する。
【０１１２】
ステップＳ４０９では、ステップＳ４０７又はステップＳ４０８で取得された用紙データに機械設定がされているか否かを判定する。具体的には、取得した用紙データ（用紙ノード）の通常紙／特別紙Ｃ１８に「特別紙」と設定されていた場合に、用紙データに機械設定がされていると判定する。或いは、ステップＳ４０６で機械設定をプレビューに反映させないと判定した場合（ステップＳ４０６：ＮＯ）は、用紙データに機械設定がされていないと自動的に判定させるようにしてもよい。用紙データに機械設定がされていると判定した場合（ステップＳ４０９：ＹＥＳ）は、ステップＳ４１０へと移行する。一方、用紙データに機械設定がされていないと判定した場合（ステップＳ４０９：ＮＯ）は、ステップＳ４１１へと移行する。
【０１１３】
ステップＳ４１０〜ステップＳ４１２は、図１５のステップＳ３０８〜ステップＳ３１０と同様の処理を行うため、説明を省略する。
【０１１４】
このように、変形例３の画像形成装置１は、変形例１、２をすべて組み合わせても、本発明の目的を達成することができ、上記実施形態と同様に、当該画像形成装置１に設定された所定の出力動作に係る出力予定内容をユーザに事前に確認させることができる。
【０１１５】
以上、本発明に係る実施形態に基づいて具体的に説明したが、本発明は上記実施形態に限定されるものではなく、その要旨を逸脱しない範囲で変更可能である。
【０１１６】
例えば、上記実施形態では、プレビュー表示領域Ｅ１８に１枚の出力用紙を表示させるようにしているが、各プリントジョブが出力する用紙すべてを同時に表示させるようにしてもよい。
【０１１７】
また、上記実施形態では、出力リストを作成した後にプレビュー指示の有無を判定するようにしているが、先にプレビュー指示の有無を判定し、プレビュー指示があると判定した場合に出力リストを作成するようにしてもよい。
【０１１８】
また、上記実施形態では、出力内容確認情報の報知部として表示部３１を例示して説明しているが、これに限定されない。例えば、出力内容確認情報に基づいて音声データを生成するデータ生成部や、スピーカ等の音声出力部を備える構成とし、当該音声出力部から出力内容確認情報に係る音声データをガイダンスさせるようにしてもよい。
【０１１９】
また、上記実施形態では、プレビュー画面を表示部３１に表示させるようにしているが、これに限定されない。例えば外部装置２の表示部にプレビュー画面を表示させるようにしてもよい。
さらに、機械設定の入力や設定を画像形成装置１に行うようにしたが、これに限られるものではなく、例えば、外部装置２を利用するようにしてもよい。この場合であっても、プレビュー画面を画像形成装置１の表示部３１に表示させてもよいし、外部装置２の表示部に表示させてもよい。
【０１２０】
また、出力内容確認情報（第２出力リストＬ２）の生成後、当該第２出力リストＬ２におけるプリントジョブに対応する画像出力動作及び画像形成装置１に設定された所定の出力動作に係る出力予定内容の所定の出力単位毎の出力順に変更が生じたか否かを判定するようにしてもよい。
即ち、画像制御部１１は、出力順に変更が生じたと判定された場合に、当該変更後の出力順に従って、プリントジョブに対応する画像出力動作及び画像形成装置１に設定された所定の出力動作に係る出力予定内容を所定の出力単位毎に並べて第２出力リストＬ２を再度生成する。
従って、例えば、あるプリントジョブのプレビュー画面Ｇ７が表示されている際に当該プリントジョブより以前に画像出力動作を行う予定のプリントジョブが削除された場合など、画像形成装置１に設定された所定の出力動作に係る出力予定内容の出力順に変更が生じた場合には、変更後の出力順に並べて第２出力リストＬ２を再度生成する。これにより、出力順の変更を反映したプレビュー画面Ｇ７を表示させることができるので、ユーザに最新の出力予定内容を確認させることができ、プリントミスの発生を防止できる。
【０１２１】
その他、画像形成装置１を構成する各装置の細部構成及び細部動作に関しても、本発明の趣旨を逸脱することのない範囲で適宜変更可能である。
【符号の説明】
【０１２２】
１  画像形成装置
１ａ  本体部
１０  本体制御部
１１  画像制御部
１１１  ＣＰＵ
１１２  ＲＯＭ
１１３  ＲＡＭ
１２  不揮発メモリ
１３  読取処理部
１４  圧縮ＩＣ
１５  ＤＲＡＭ制御ＩＣ
１６  画像メモリ
１６ａ  圧縮メモリ
１６ｂ  ページメモリ
１７  伸長ＩＣ
１８  書込処理部
２０  画像読取部
２１  ＡＤＦ部
２２  スキャナ部
２３  読取制御部
３０  操作部
３１  表示部
３２  表示制御部
４０  プリンタ部
４１  画像形成部
４２  給紙ユニット
４３  プリンタ制御部
１ｂ  プリントコントローラ
５１  コントローラ制御部
５２  ＤＲＡＭ制御ＩＣ
５３  画像メモリ
５４  ＬＡＮＩＦ
２  外部装置
【図１】
2011232662.tif 000003
【図２】
2011232662.tif 000004
【図３】
2011232662.tif 000005
【図４】
2011232662.tif 000006
【図５】
2011232662.tif 000007
【図６】
2011232662.tif 000008
【図７】
2011232662.tif 000009
【図８】
2011232662.tif 000010
【図９】
2011232662.tif 000011
【図１０】
2011232662.tif 000012
【図１１】
2011232662.tif 000013
【図１２】
2011232662.tif 000014
【図１３】
2011232662.tif 000015
【図１４】
2011232662.tif 000016
【図１５】
2011232662.tif 000017
【図１６】
2011232662.tif 000018
【図１７】
2011232662.tif 000019
【図１８】
2011232662.tif 000020
【図１９】
2011232662.tif 000021